(57)【要約】      （修正有）【課題】製紙用スクリーンにおいて、スクリーンバスケットの目詰まり発生を抑え、効率よい運転を行うため、従来よりも目詰まり防止効果の高いスクリーン用ロータを提供する。【解決手段】製紙用スクリーンにおけるロータであって、該ロータは円盤を有し、該円盤の円周部に沿って略等間隔に複数の攪拌部材の一端が固定すると共に、複数の攪拌部材には、それらの周囲を囲むように一個又は複数個のリング状部材を設け、かつ、攪拌部材の自由端側はロータの回転方向に向かって前進するよう傾斜して取付け、加えて、該攪拌部材の側面（反スクリーンバスケット側）に攪拌翼を有し、該攪拌翼はロータの回転方向前方が低く、後方が高くなるよう傾斜して取付け、さらに、攪拌翼はロータの回転方向前方が低く、後方が高くなるよう傾斜して取付ける。【選択図】なし【特許請求の範囲】
【請求項１】
製紙用スクリーンに使用されるロータおいて、該ロータは円盤を有し、該円盤の円周部に沿って略等間隔に複数の攪拌部材の一端が固定されると共に、複数の攪拌部材には、それらの周囲を囲むように一個又は複数個のリング状部材が設けられており、かつ、前記攪拌部材が側面に攪拌翼を有し、該攪拌翼はロータの回転方向前方が低く、後方が高くなるよう傾斜して取付けられていることを特徴とする製紙用スクリーンにおけるロータ。
【請求項２】
製紙用スクリーンに使用されるロータおいて、該ロータは円盤を有し、該円盤の円周部に沿って略等間隔に複数の攪拌部材の一端が固定されると共に、複数の攪拌部材には、それらの周囲を囲むように一個又は複数個のリング状部材が設けられており、かつ、前記攪拌部材の自由端側はロータの回転方向に向かって前進するよう傾斜して取付けられていることを特徴とする製紙用スクリーンにおけるロータ。
【請求項３】
前記攪拌部材が側面に攪拌翼を有し、該攪拌翼はロータの回転方向前方が低く、後方が高くなるよう傾斜して取付けられていることを特徴とする請求項２記載の製紙用スクリーンにおけるロータ。
【請求項４】
前記攪拌部材の傾斜の角度が０度より大きく、１５度以下であることを特徴とする請求項２又は３記載の製紙用スクリーンにおけるロータ。
【発明の詳細な説明】
【技術分野】
【０００１】  本発明は製紙用スクリーンにおいて使用されるロータに関するものである。
【背景技術】
【０００２】  製紙工場では、原料であるパルプに含まれる不純物を除去するためにスクリーンが使用されている。スクリーンの構造は大まかに分けるとケーシング（槽）、不純物を除去するためのフィルターの役割を果たすスクリーンバスケット、及びパルプを攪拌するための攪拌部材を有するロータからなっており、その装置の大きさ、使用箇所、使用台数等は用途に応じて適宜使い分けられている。スクリーンでは槽内に流入したパルプの内、スクリーンバスケットに設けられた網の目を通過したものは有用繊維分として次工程に流送され、スクリーンバスケットの網の目を通過しなかったものはリジェクトとして廃水または再処理工程に送られる。また、一般的にスクリーンの種類としては、密閉された槽内においてスクリーンバスケットの外側から内側へパルプが移動する外圧式スクリーンと、スクリーンバスケットの内側から外側へパルプが移動する内圧式スクリーンが広く使用されている。【０００３】  ところで、不純物の混入に起因するトラブルとしては、製品である紙に不純物が含まれることによる品質低下、粘着異物に起因する印刷時の断紙、抄紙機の汚れ等が挙げられ、これらを防止するため、パルプに含まれる不純物を従来以上に多く除去できるスクリーンが求められている。そこで、例えばスクリーンバスケットに設けられた網の目の形においては、従来型の丸穴式に代わりスリット式のものが開発され、さらに網の目（スリット）の幅においては０．１５ｍｍから０．１３ｍｍ、０．１０ｍｍのものへ、徐々に幅の狭いものが使用されるようになっている。【０００４】  しかし、スクリーンバスケットの網の目を小さくすると不純物やパルプにより目詰まりを起こしやすくなり、スクリーンの処理量が低下するという問題点がある。この際、網の目に詰まった不純物や粗大なパルプ繊維を取り除くため頻繁にスクリーンバスケットの洗浄を行わなければならず、運転効率を悪化させているのが現状である。これは特に、ケーシング内において、上部と下部とではパルプ濃度が異なり、下部、つまりパルプの流れの下流側に位置する部分においてはパルプが濃縮されて、目詰まりが生じやすくなっているためである。かかる問題に対して、従来はケーシング内下部に希釈水を注入することで対応してきたが（特許文献１）、十分な効果が得られずスクリーンバスケットに目詰まりが発生していた。そこで、ケーシング内壁に傾斜した突起を設ける方法（特許文献２）、槽内へのパルプ供給口を複数設け第１の供給口よりも下方に第２の供給口を位置させる方法（特許文献３）等が採用され対策が講じられてきた。しかし、それでもなお上記のごとき問題が発生しているのが現状である。【０００５】
【特許文献１】特開平９−１０５０９２号
【特許文献２】特開平１１−３３５９９０号
【特許文献３】特開２０００−８２８７号
【発明が解決しようとする課題】
【０００６】  本発明は、スクリーンにおいてパルプの濃縮によって起こるスクリーンバスケットの目詰まりを防止するための装置を提供することにある。
【課題を解決するための手段】
【０００７】  本発明は製紙用スクリーンにおけるロータであって、該ロータは円盤を有し、該円盤の円周部に沿って略等間隔に複数の攪拌部材の一端が固定されると共に、複数の攪拌部材には、それらの周囲を囲むように一個又は複数個のリング状部材が設けられており、かつ、前記攪拌部材が側面に攪拌翼を有し、該攪拌翼はロータの回転方向前方が低く、後方が高くなるよう傾斜して取付けられていることを特徴とする。
また、本発明は製紙用スクリーンにおけるロータであって、該ロータは円盤を有し、該円盤の円周部に沿って略等間隔に複数の攪拌部材の一端が固定されると共に、複数の攪拌部材には、それらの周囲を囲むように一個又は複数個のリング状部材が設けられており、かつ、前記攪拌部材の自由端側はロータの回転方向に向かって前進するよう傾斜して取付けられていることを特徴とするものであり、好ましくは前記攪拌部材の傾斜が０度よりも大きく１５度以下にするとよい。
さらに、本発明は製紙用スクリーンにおけるロータであって、該ロータは円盤を有し、該円盤の円周部に沿って略等間隔に複数の攪拌部材の一端が固定されると共に、複数の攪拌部材には、それらの周囲を囲むように一個又は複数個のリング状部材が設けられており、かつ、前記攪拌部材の自由端側はロータの回転方向に向かって前進するよう傾斜して取付けられ、加えて、該攪拌部材は側面に攪拌翼を有し、該攪拌翼はロータの回転方向前方が低く、後方が高くなるよう傾斜して取付けられていることを特徴とするものである。なお、好ましくは前記攪拌部材の傾斜が０度よりも大きく１５度以下にするとよい。
【発明を実施するための最良の形態】
【０００８】  本発明である製紙用スクリーンにおけるロータを図面に基づいて説明する。
図１は一般的に使用される外圧式スクリーン１の断面図を示すものである。同図において円筒状のケーシング２内には、パルプに含まれる不純物と有用繊維分とを分離するため、フィルターの役割を果たすスクリーンバスケット３が設置されている。そして、それに覆い被せるように該スクリーンバスケット３の外周に近接してロータ５が設置されている。
図２は本発明のロータ５の第一の実施例を示したものであって、円盤６の中心には回転軸１０を固定する穴部７を設け、該円盤６の円周部に沿って略等間隔に複数の攪拌部材４の一端が固着されている。該複数の攪拌部材４には、それらの周囲を囲むように一個又は複数個のリング状部材８が設けられ、各攪拌部材４とリング状部材８とは互いに固定されている。即ち、攪拌部材４の自由端側は、一箇所又は複数個所でリング状部材８を介して互いに連結されている。また、攪拌部材４の側面（反スクリーンバスケット側）には図３に示すような攪拌翼９が一個又は複数個設けられている。該攪拌翼９はロータの回転方向前方が低く、後方が高くなるように傾斜して取付けられている。なお、該攪拌翼９の取付け位置、数、角度は処理条件や目詰まりの発生頻度等に応じて適宜設定できる。【０００９】  また、前記攪拌部材４は図３に示すように断面が流線型であり、回転方向（矢印Ａ方向）前方が細く、中央部が太く後方に向かって細くなっている。このため、前記スクリーンバスケット３の外周面近傍を移動する際、攪拌部材４はスクリーンバスケット３側面部に対して徐々に加圧し、中央部の最も太い部分で加圧力が最大となり、これが過ぎると減圧される。この加圧と減圧の繰り返しによって攪拌部材４がスクリーンバスケット３の側面部を移動する際、加圧時には有用な繊維分がスクリーンバスケット３内に押し込まれ、減圧時にはスクリーンバスケット３の網の目に付着した不純物等、網の目に引っ掛かったものが引き戻されるようにして除去されるので、目詰まり発生を抑えることができるようになっている。
しかも、本発明では前記した如く、攪拌部材４の側面（反スクリーンバスケット側）に、ロータの回転方向前方が低く、後方が高くなるように傾斜した攪拌翼９が設けられている。このため、槽内の下部側にて濃縮されたパルプを上方に向かって掻き上げるようにロータが回転するため、下部の濃縮されたパルプと上部の濃縮されていないパルプが混合するのでパルプ液の濃度が均一に保たれ、スクリーンバスケット３の目詰まりを抑えることができる。また、攪拌翼９は回転体であるロータ５に直接取付けられているため、ケーシング内壁に傾斜した突起を設ける場合と比較し、大きな攪拌効果を得ることができる。【００１０】  図４及び図５は本発明の第二の実施例を示すもので第一の実施例と同一の部分には同一の符号を付し、説明を割愛する。
第二の実施例では、ロータ５の攪拌部材４は自由端側がロータの回転方向に向かって前進するよう傾斜して取付けられている。従って、ロータ５が回転する時、攪拌部材４は自由端側が先行して回転するようになっている。このため、槽内の下部側にて濃縮されたパルプを上方に向かって掻き上げるようにロータが回転するので、下部の濃縮されたパルプと上部の濃縮されていないパルプが混合されるからパルプ液の濃度が均一に保たれ、スクリーンバスケット３の目詰まりを抑えることができる。【００１１】  なお、攪拌部材４の傾斜はロータの回転軸１０と平行な方向からロータの回転方向に向かって０度よりも大きく１５度以下となるよう傾斜させることが好ましい。角度が大きすぎるとケーシング内のパルプを必要以上に掻き上げようとするため、精選効率が悪化したり、ロータへの負荷が増大する等の問題が生じるからである。【００１２】  図６及び図７は本発明の第三の実施例を示すものである。
第三の実施例では、第二の実施例に加えて攪拌部材４の側面（反スクリーンバスケット側）に攪拌翼９が一個又は複数個設けられている。該攪拌翼９はロータの回転方向前方が低く、後方が高くなるように傾斜して取付けられている。そのため、ロータ５が回転すると該攪拌翼がパルプを上方に向かって掻き上げ、ケーシング２内でパルプが沈降するのを抑制し、ケーシング内下部でパルプが濃縮されるのを抑える。その結果、攪拌部材４による攪拌との相乗効果により、より一層スクリーンバスケット３の下部における網の目の目詰まりを抑えることができる。なお、該攪拌翼９の取付け位置、数、角度は処理条件や目詰まりの発生頻度等に応じて適宜設定できる。【００１３】  また、攪拌部材４の傾斜はロータの回転軸１０と平行な方向からロータの回転方向に向かって０度よりも大きく１５度以下となるよう傾斜させることが好ましい。角度が大きすぎるとケーシング内のパルプを必要以上に掻き上げようとするため、精選効率が悪化したり、ロータへの負荷が増大する等の問題が生じるからである。
なお、本実施例においては、攪拌部材４と攪拌翼９相乗効果により攪拌効果が向上するので、同一攪拌能力であれば第二の実施例に比較して攪拌部材４の傾斜角度を小さくすることができる。【００１４】  本発明は上記の実施例に限らず、内圧式スクリーンにおいても実施することができる。また、本発明は単独で実施してもよいし、従来の技術と組み合わせて実施することもできる。
【発明の効果】
【００１５】  本発明のスクリーン用ロータによればケーシング内下部において濃縮されたパルプを上方へ掻き上げるように攪拌することによって、下部の濃縮されたパルプと上部の濃縮されていないパルプを混合することができ、前記目詰まりの発生を抑え、精選効率を向上させることができる。
【図面の簡単な説明】
【図１】本発明を一般的な外圧式スクリーンに実施した例の断面図である。
【図２】本発明のロータであり、第一の実施例である。
【図３】第一の実施例において攪拌部材及び攪拌翼を拡大したものである。
【図４】本発明のロータであり、第二の実施例である。
【図５】第二の実施例において攪拌部材を拡大したものである。
【図６】本発明のロータであり、第三の実施例である。
【図７】第三の実施例において攪拌部材を拡大したものである。
【符号の説明】
１    スクリーン
２    ケーシング（槽）
２ａ  槽入口部
３    スクリーンバスケット
４    攪拌部材
５    ロータ
６    円盤
７    穴部
８    リング状部材
９    攪拌翼
１０  回転軸
【図１】
2008291412.tif 000002
【図２】
2008291412.tif 000003
【図３】
2008291412.tif 000004
【図４】
2008291412.tif 000005
【図５】
2008291412.tif 000006
【図６】
2008291412.tif 000007
【図７】
2008291412.tif 000008